【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
刃が形成された刃部と、前記刃部に連設された把持部とを有し、前記刃部の基端部において軸部により回動可能に接合された一対のハサミ構成体を備え、前記一対のハサミ構成体が軸部を介して交差して回動するように構成されたハサミであって、
前記把持部には、内部に空隙部を有すると共に、前記空隙部には可撓性を有するハンドルフレーム部が内装され、
前記把持部の幅方向の一側面部には長さ方向に沿って前記ハンドルフレーム部が突出しうる開口部が開設されると共に、前記把持部の幅方向の他側面部には前記ハンドルフレーム部の突出を規制する突出阻止部材が設けられ、前記把持部の平面部には長さ方向に沿ってスライダ開口部が開設され、
前記ハンドルフレーム部の後端部は前記把持部の後端部に固定されると共に前記ハンドルフレーム部の先端部は前記スライダ開口部内に配置されるスライダに固定され、前記スライダを前記把持部の後端部方向へスライドさせることにより前記ハンドルフレーム部を撓め、前記開口部から前記把持部の外方へ突出させることを特徴とするハサミ。
【請求項２】
不使用時には、スライダを把持部の先端部に戻すことで、ハンドルフレーム部を前記把持部内に収納させることを特徴とする請求項１記載のハサミ。
【請求項３】
一対のハサミ構成体が軸部を介して交差して回動するよう構成されたハサミであって、
一方の把持部において幅方向の一側面部に一方のハンドルフレーム部が突出しうる一方の開口部が開設され、前記一方の把持部において幅方向の他側面部に一方の突出阻止部材が設けられる場合に、交差する他方の把持部において前記一方のハンドルフレーム部が突出する方向とは反対の方向となる幅方向の一側面部に他方のハンドルフレーム部を突出しうる他方の開口部が開設され、前記他方の把持部において幅方向の他側面部に他方の突出阻止部材が設けられることを特徴とする請求項１又は２記載のハサミ。
【請求項４】
スライダ開口部の先端部には第１の係合凹部が形成され、前記スライダ開口部の後端部には第２の係合凹部が形成され、スライダには係止部が形成され、
前記スライダの係止部を前記第１の係合凹部に係合してハンドルフレーム部を把持部内に収納させる収納状態で固定させ、
前記スライダの係止部を前記第２の係合凹部に係合して前記ハンドルフレーム部を前記把持部の外方へ突出させる突出状態で固定させることを特徴とする請求項１乃至３のいずれか記載のハサミ。
【請求項５】
把持部及びハンドルフレーム部は合成樹脂により形成されていることを特徴とする請求項１乃至４のいずれか記載のハサミ。
【手続補正２】
【補正対象書類名】明細書
【補正対象項目名】０００７
【補正方法】変更
【補正の内容】
【０００７】
上記課題を解決するために、本発明は、刃が形成された刃部と、刃部に連設された把持部とを有し、刃部の基端部において軸部により回動可能に接合された一対のハサミ構成体を備え、一対のハサミ構成体が軸部を介して交差して回動するように構成されたハサミであって、把持部には、内部に空隙部を有すると共に、空隙部には可撓性を有するハンドルフレーム部が内装され、把持部の幅方向の一側面部には長さ方向に沿ってハンドルフレーム部が突出しうる開口部が開設されると共に、把持部の幅方向の他側面部にはハンドルフレーム部の突出を規制する突出阻止部材が設けられ、把持部の平面部には長さ方向に沿ってスライダ開口部が開設され、ハンドルフレーム部の後端部は把持部の後端部に固定されると共にハンドルフレーム部の先端部はスライダ開口部内に配置されるスライダに固定され、スライダを把持部の後端部方向へスライドさせることによりハンドルフレーム部を撓め、開口部から把持部の外方へ突出させることを特徴とする。
【手続補正３】
【補正対象書類名】明細書
【補正対象項目名】０００８
【補正方法】変更
【補正の内容】
【０００８】
従って、本発明にあっては、使用者は使用時に、自分の利き腕に合わせて、一対のハサミ構成体を使用しやすい形に配置すると共に、使用者はスライダを把持部の後端部方向にスライドさせることにより、ハンドルフレーム部を一方の幅方向のみへ突出させてハサミを構成して使用することができる。
【手続補正４】
【補正対象書類名】明細書
【補正対象項目名】０００９
【補正方法】変更
【補正の内容】
【０００９】
本発明は、上記ハサミにおいて、不使用時には、スライダを把持部の先端部に戻すことで、ハンドルフレーム部を前記把持部内に収納させることを特徴とする。
【手続補正５】
【補正対象書類名】明細書
【補正対象項目名】００１０
【補正方法】変更
【補正の内容】
【００１０】
本発明は、上記ハサミにおいて、一対のハサミ構成体が軸部を介して交差して回動するよう構成されたハサミであって、一方の把持部において幅方向の一側面部に一方のハンドルフレーム部が突出しうる一方の開口部が開設され、一方の把持部において幅方向の他側面部に一方の突出阻止部材が設けられる場合に、交差する他方の把持部において一方のハンドルフレーム部が突出する方向とは反対の方向となる幅方向の一側面部に他方のハンドルフレーム部を突出しうる他方の開口部が開設され、他方の把持部において幅方向の他側面部に他方の突出阻止部材が設けられることを特徴とする。
【手続補正６】
【補正対象書類名】明細書
【補正対象項目名】００１１
【補正方法】変更
【補正の内容】
【００１１】
本発明は、上記ハサミにおいて、スライダ開口部の先端部には第１の係合凹部が形成され、スライダ開口部の後端部には第２の係合凹部が形成され、スライダには係止部が形成され、スライダの係止部を第１の係合凹部に係合してハンドルフレーム部を把持部内に収納させる収納状態で固定させ、スライダの係止部を第２の係合凹部に係合してハンドルフレーム部を把持部の外方へ突出させる突出状態で固定させることを特徴とする。
【手続補正７】
【補正対象書類名】明細書
【補正対象項目名】００１２
【補正方法】変更
【補正の内容】
【００１２】
本発明は、上記ハサミにおいて、把持部及びハンドルフレーム部は合成樹脂により形成されていることを特徴とする。
【手続補正８】
【補正対象書類名】明細書
【補正対象項目名】００１３
【補正方法】変更
【補正の内容】
【００１３】
本発明によれば、使用者がスライダを後端部方向へスライドさせることにより、ハンドルフレーム部を把持部の一方の幅方向へ突出させてハンドル部を形成することができることから、容易にハンドル部を形成することができ、その結果、スムーズな使用が可能となる。
【手続補正９】
【補正対象書類名】明細書
【補正対象項目名】００１５
【補正方法】変更
【補正の内容】
【００１５】
本発明によれば、一対のハサミ構成体が軸部を介して交差して回動するよう構成されたハサミであって、一方の把持部において幅方向の一側面部に一方のハンドルフレーム部が突出しうる一方の開口部が開設され、一方の把持部において幅方向の他側面部に一方の突出阻止部材が設けられる場合に、交差する他方の把持部において一方のハンドルフレーム部が突出する方向とは反対の方向となる幅方向の一側面部に他方のハンドルフレーム部を突出しうる他方の開口部が開設され、他方の把持部において幅方向の他側面部に他方の突出阻止部材が設けられる上記ハサミとしているので、一方の把持部において一方のハンドルフレーム部が突出しうる方向に対して、他方の把持部において一方のハンドルフレーム部が突出する方向とは反対の方向に他方のハンドルフレーム部を突出させることができる。
【手続補正１０】
【補正対象書類名】明細書
【補正対象項目名】００１６
【補正方法】変更
【補正の内容】
【００１６】
本発明によれば、スライダ開口部の先端部には第１の係合凹部が形成され、スライダ開口部の後端部には第２の係合凹部が形成され、スライダには係止部が形成され、スライダの係止部を第１の係合凹部に係合してハンドルフレーム部を把持部内に収納させる収納状態で固定させ、スライダの係止部を第２の係合凹部に係合してハンドルフレーム部を把持部の外方へ突出させる突出状態で固定させる上記ハサミとしているので、ハンドルフレーム部の収納状態及び突出状態で固定できる。
また、本発明によれば、把持部及びハンドルフレーム部は合成樹脂により形成されていることから、軽量であって製造コストを低減できるハサミを提供することが可能となる。